(57)【要約】【課題】汎用性のある農業・園芸用のトンネルハウスの土壌への設置が1人で簡単にでき、かつ、被覆シートの開閉や取替え作業も簡単にできるようにする農業・園芸用のトンネルハウスの側面被覆体を提供する。【解決手段】この側面被覆体１は、土壌７の上面に設置するトンネルハウスにおいて、前記トンネルハウスの両側面部を自立可能に独立して立設できるように構成し、側面被覆シート材１ａと、側面被覆シート材１ａの一方の端部を溶着又は縫製又は接着で取りつけた湾曲自在の、或いは円弧状又は逆Ｕ字状の側面被覆用支柱１ｂと、を有して成り、側面被覆用支柱１ｂの両先端部を土壌に挿入して自立させると共に、側面被覆シート材１ａのもう一方の端部を側面被覆用支柱１ｂ側とは反対方向に張力をかけながら収束させ、収束部２を結束し、その収束部２を固定できる形状の杭３を打ち込み、土壌７の上面に固定できるように構成している。【選択図】図１
0003185517.tif 000002
【実用新案登録請求の範囲】
【請求項１】
土壌の上面に設置するトンネルハウスにおいて、前記トンネルハウスの両側面部を自立可能に独立して立設できるように構成したことを特徴とする農業・園芸用のトンネルハウスの側面被覆体。
【請求項２】
前記側面被覆体は、側面被覆シート材と、当該側面被覆シート材の一方の端部を溶着又は縫製又は接着で取りつけた湾曲自在の、或いは円弧状又は逆Ｕ字状の側面被覆用支柱と、を有して成り、
前記側面被覆用支柱の両先端部を土壌に挿入して自立させると共に、前記側面被覆シート材のもう一方の端部を前記側面被覆用支柱側とは反対方向に張力をかけながら収束させ、収束部を結束し、その収束部を固定できる形状の杭を打ち込み、土壌の上面に固定できるように構成したことを特徴とする請求項１に記載の農業・園芸用のトンネルハウスの側面被覆体。
【考案の詳細な説明】
【技術分野】
【０００１】
本考案は、野菜や草花の種や苗を育てる畝にトンネル状に透明シートやネットを半円形に掛けた農業・園芸用のトンネルハウスの両側面に位置する側面被覆体に関する。
【背景技術】
【０００２】
家庭菜園や農家では育苗や野菜の栽培時に保温や防虫或いは遮光などのため、畝に沿って一定の間隔で畝幅に湾曲させた支柱を立設させて、その湾曲支柱を被覆シートで覆い被せ、さらに被覆シートの全周裾部に土を被せて固定しトンネルハウスを形成している。
【０００３】
従来のトンネルハウスは、保温や防虫或いは遮光などの目的に沿った被覆シート一枚で形成している。そのため、散水や除草作業、或いは被覆シートの取替え等の為、半面又は全面を外す時は、被覆シートの畝沿いの裾部に被された土だけでなく、トンネルハウスの両側面の裾部の土も除去しなければ被覆シートの半面外し又は全面外しができない。また、再び、被覆シートを元に戻すときには、外した裾部の土かけをする事に成る。
【０００４】
これらの作業は、被覆シートが軽いため、固定したり、外したりする場合1人では難しく、特に風が強いとできなくなる。通常二人で作業しなければならない。
【０００５】
このため、被覆シートの設置作業や開閉作業を軽減し、1人でも作業することが出来る提案も出ている。例えば特許文献１においては、被覆シートの畝沿いの両裾部に二重構造部を設け、その部分にスチールパイプや棒体を差し込む等の方法で、両裾部を重くして湾曲支柱に被せる事で風の影響を抑える事ができ、土被せしなくて1人で簡単にシートを固定する事ができることが開示されている。また、特許文献２においては、可撓性を有するシート状のものからなる本体部と両側面を閉じる側部（側面部）からなる園芸用トンネル部材と、支柱と、で構成された園芸用トンネルハウスである。この園芸用トンネル部材は支柱で規定された断面形状を有する立体形状を形成し、かつ、本体部には線ファスナー等で開閉できる開口部を複数有し、地面に接触する裾部には鳩目が一定間隔に付けられている。設置の方法は、まず、規定の支柱を畝に沿って等間隔に設置し園芸用トンネル部材を被せて、裾部の鳩目に固定金具を指し込み地面に固定する。これで設置作業は完了のため、作業が簡単で1人でもできる。その後の除草や散水作業等は、本体部の開口部を開けて行うため、園芸用トンネル部材の裾部を捲り上げる必要がない。
【先行技術文献】
【特許文献】
【０００６】
【特許文献１】特開平８−１９６１５３号公報
【特許文献２】実用新案登録第３１７０５８８公報
【考案の概要】
【考案が解決しようとする課題】
【０００７】
しかし、特許文献１に記載のものは、被覆シートの両裾部を重くする事で、少々の風が吹いていても、1人作業が可能であるが、湾曲支柱に被覆シートを被せて形成したトンネルハウスの両側面が開口しており、それをどのようにするかの開示がない。また、特許文献２に記載したものは、可撓性を有するシート状のものからなる本体部と両側面を閉じる側面部からなる園芸用トンネル部材を予め製作する必要があり、使用できる支柱の形状と畝の長さは制限された範囲になり、汎用性に欠ける。
【０００８】
本考案は家庭菜園や農家において、汎用性のある農業・園芸用のトンネルハウスの土壌への設置が1人で簡単にでき、かつ、被覆シートの開閉や取替え作業も簡単にできるようにする農業・園芸用のトンネルハウスの側面被覆体を提供することを目的としている。
【課題を解決するための手段】
【０００９】
上記目的を達成するために、請求項１の農業・園芸用のトンネルハウスの側面被覆体は、土壌の上面に設置するトンネルハウスにおいて、前記トンネルハウスの両側面部を自立可能に独立して立設できるように構成したことを特徴とする。
【００１０】
請求項２の農業・園芸用のトンネルハウスの側面被覆体は、更に、前記側面被覆体が、側面被覆シート材と、当該側面被覆シート材の一方の端部を溶着又は縫製又は接着で取りつけた湾曲自在の、或いは円弧状又は逆Ｕ字状の側面被覆用支柱と、を有して成り、前記側面被覆用支柱の両先端部を土壌に挿入して自立させると共に、前記側面被覆シート材のもう一方の端部を前記側面被覆用支柱側とは反対方向に張力をかけながら収束させ、収束部を結束し、その収束部を固定できる形状の杭を打ち込み、土壌の上面に固定できるように構成したことを特徴とする。
【考案の効果】
【００１１】
本考案の農業・園芸用のトンネルハウスの側面被覆体は、トンネルハウスの両側面を自立可能に独立して立設するので、家庭菜園や農家において、汎用性のある農業・園芸用のトンネルハウスの土壌への設置が1人で簡単にでき、かつ、被覆シート（トンネル形成被覆シート）の開閉や取替え作業も簡単にできるようになる。
【図面の簡単な説明】
【００１２】
【図１】本考案を実施するための形態を示した１例の全体説明図である。
【図２】（Ａ）は側面被覆シート材の一方の端部を湾曲自在な側面被覆用支柱に取りつけた側面被覆体の外観図である。（Ｂ）は側面被覆シート材の一方の端部を円弧状又は逆Ｕ字状の側面被覆用支柱に取りつけた側面被覆体の外観図である。
【図３】本考案の側面被覆体を立設させたトンネルハウスの１例の形成途中図である。
【図４】本考案の側面被覆体を立設させたトンネルハウスの１例の完成図である。
【考案を実施するための形態】
【００１３】
以下、本考案の実施形態を図に基づいて説明する。
【実施例】
【００１４】
家庭菜園や農家では、野菜や花木等の育苗や栽培時に、保温、防寒、防虫、防鳥、遮光、遮熱などの目的で樹脂製シート、不織布、寒冷紗、或いはネットなどを被覆シート（トンネル形成被覆シート）として使用し農業・園芸用のトンネルハウスを形成して活用している。本考案の農業・園芸用のトンネルハウスの側面被覆体１は、トンネルハウスの両側面部を、図１に示すように、自立可能に独立して立設できるように構成したものである。
【００１５】
より詳細には、この側面被覆体１は、図２（Ａ）、（Ｂ）に示すように、側面被覆シート材１ａと、側面被覆シート材１ａの一方の端部を溶着又は縫製又は接着で取りつけた側面被覆用支柱１ｂと、を有して成る。側面被覆用支柱１ｂは、湾曲自在（図２（Ａ）参照。）、或いは、円弧状又は逆Ｕ字状（図２（Ｂ）参照。）のものである。側面被覆シート材１ａは、矩形（例えば、長方形や略正方形）のものを用いることができる。側面被覆用支柱１ｂは、両先端部に土への差し込み部を残して、側面被覆シート材１ａが取りつけられている。
【００１６】
側面被覆体１は、側面被覆用支柱１ｂの両先端部を土壌７に挿入して自立させると共に、側面被覆シート材１ａのもう一方の端部（側面被覆用支柱が取りつけられていない端部）を側面被覆用支柱１ｂ側とは反対方向に張力をかけながら収束させ、収束部２を結束し、その収束部２を固定できる形状の杭３を打ち込み、土壌７の上面に固定できるように構成している。
【００１７】
トンネルハウスの形成手順は以下のようにすればよい。すなわち、側面被覆用支柱１ｂを土壌７に差し込んで弧状にする。側面被覆用支柱１ｂが湾曲自在なものの場合は、畝８の幅に合わせ湾曲させて差し込み、円弧状又は逆Ｕ字状の場合は、そのまま差し込む。側面被覆シート材１ａは、もう一方の端部を地面に沿わして半円錐状に成るよう収束させて紐で括りつけ、引っ張った状態で杭３に固定する。そして、その作業を繰り返し、畝８のもう一方の端部にも側面被覆体１を立設する。
【００１８】
それから、図３に示すように、畝８の両端に立設させた側面被覆体１の間にトンネル形成用支柱５を必要数立設し、その上からトンネル形成被覆シート４を被せる。そして、図４に示すように、トンネル形成被覆シート４の両端部を側面被覆用支柱１ｂに重ねてトンネルパッカー等の固定具６で固定すると、トンネルハウスを形成することができる。この場合トンネル形成被覆シート４の両裾部に棒体４ａを事前に取り付けて置けば、風が強くても簡単に設置ができ、更に土を被せなくても固定具等で簡単に固定できる。
【００１９】
このように側面被覆体1を自立可能に独立して立設しておくことで、１人作業でも更には風が強くても簡単に、畝８の長さ及び幅に応じた汎用性のあるトンネルハウスの形成作業が出来る。また、水やりや除草作業時の開閉作業もトンネル形成被覆シート４のみの開閉になり、トンネル形成被覆シート４の裾部を持ち上げることで簡単に出来る。更に、例えば保温シートから防虫ネットに取り替える場合でも、側面被覆体1はそのままで、トンネル形成被覆シート４のみを防虫ネットに替えることで、作業が簡単にできる。
【００２０】
また、側面被覆用支柱１ｂにトンネル形成被覆シート４を固定具６で固定することで、トンネル形成被覆シート４と側面被覆体１が一体になったトンネルハウスを形成することができる。それにより、畝８の一方の端部の杭３に固定された収束部２と、畝８のもう一方の端部の杭３に固定された収束部２と、の間で互いに引っ張り合う力が発生するので、風が吹き付けても、トンネルハウスの形状を維持し易いものとなる。
【００２１】
以上、本考案の実施形態に係る農業・園芸用のトンネルハウスの側面被覆体について説明したが、本考案は、実施形態に記載したものに限られることなく、実用新案登録請求の範囲に記載した事項の範囲内でのさまざまな設計変更が可能である。
【符号の説明】
【００２２】
１      側面被覆体
１ａ    側面被覆シート材
１ｂ    側面被覆用支柱
２      収束部
３      杭
４      トンネル形成被覆シート
４ａ    棒体
５      トンネル形成用支柱
６      固定具（トンネルパッカー）
７      土壌
８      畝
【図１】
0003185517.tif 000003
【図２】
0003185517.tif 000004
【図３】
0003185517.tif 000005
【図４】
0003185517.tif 000006
【手続補正書】
【提出日】平成25年6月14日(2013.6.14)
【手続補正１】
【補正対象書類名】明細書
【補正対象項目名】全文
【補正方法】変更
【補正の内容】
【考案の詳細な説明】
【技術分野】
【０００１】
本考案は、野菜や草花の種や苗を育てる畝にトンネル状に透明シートやネットを半円形に掛けた農業・園芸用のトンネルハウスの両側面に位置する側面被覆体に関する。
【背景技術】
【０００２】
家庭菜園や農家では育苗や野菜の栽培時に保温や防虫或いは遮光などのため、畝に沿って一定の間隔で畝幅に湾曲させた支柱を立設させて、その湾曲支柱を被覆シートで覆い被せ、さらに被覆シートの全周裾部に土を被せて固定しトンネルハウスを形成している。
【０００３】
従来のトンネルハウスは、保温や防虫或いは遮光などの目的に沿った被覆シート一枚で形成している。そのため、散水や除草作業、或いは被覆シートの取替え等の為、半面又は全面を外す時は、被覆シートの畝沿いの裾部に被された土だけでなく、トンネルハウスの両側面の裾部の土も除去しなければ被覆シートの半面外し又は全面外しができない。また、再び、被覆シートを元に戻すときには、外した裾部の土かけをする事に成る。
【０００４】
これらの作業は、被覆シートが軽いため、固定したり、外したりする場合1人では難しく、特に風が強いとできなくなる。通常二人で作業しなければならない。
【０００５】
このため、被覆シートの設置作業や開閉作業を軽減し、1人でも作業することが出来る提案も出ている。例えば特許文献１においては、被覆シートの畝沿いの両裾部に二重構造部を設け、その部分にスチールパイプや棒体を差し込む等の方法で、両裾部を重くして湾曲支柱に被せる事で風の影響を抑える事ができ、土被せしなくて1人で簡単にシートを固定する事ができることが開示されている。また、特許文献２においては、可撓性を有するシート状のものからなる本体部と両側面を閉じる側部（側面部）からなる園芸用トンネル部材と、支柱と、で構成された園芸用トンネルハウスである。この園芸用トンネル部材は支柱で規定された断面形状を有する立体形状を形成し、かつ、本体部には線ファスナー等で開閉できる開口部を複数有し、地面に接触する裾部には鳩目が一定間隔に付けられている。設置の方法は、まず、規定の支柱を畝に沿って等間隔に設置し園芸用トンネル部材を被せて、裾部の鳩目に固定金具を指し込み地面に固定する。これで設置作業は完了のため、作業が簡単で1人でもできる。その後の除草や散水作業等は、本体部の開口部を開けて行うため、園芸用トンネル部材の裾部を捲り上げる必要がない。
【先行技術文献】
【特許文献】
【０００６】
【特許文献１】特開平８−１９６１５３号公報
【特許文献２】実用新案登録第３１７０５８８公報
【考案の概要】
【考案が解決しようとする課題】
【０００７】
しかし、特許文献１に記載のものは、被覆シートの両裾部を重くする事で、少々の風が吹いていても、1人作業が可能であるが、湾曲支柱に被覆シートを被せて形成したトンネルハウスの両側面が開口しており、それをどのようにするかの開示がない。また、特許文献２に記載したものは、可撓性を有するシート状のものからなる本体部と両側面を閉じる側面部からなる園芸用トンネル部材を予め製作する必要があり、使用できる支柱の形状と畝の長さは制限された範囲になり、汎用性に欠ける。
【０００８】
本考案は家庭菜園や農家において、汎用性のある農業・園芸用のトンネルハウスの土壌への設置が1人で簡単にでき、かつ、被覆シートの開閉や取替え作業も簡単にできるようにする農業・園芸用のトンネルハウスの側面被覆体を提供することを目的としている。
【課題を解決するための手段】
【０００９】
上記目的を達成するために、請求項１の農業・園芸用のトンネルハウスの側面被覆体は、土壌の上面に設置するトンネルハウスにおいて、前記トンネルハウスの両側面部を自立可能に独立して立設できるように、側面被覆シート材と、当該側面被覆シート材の一方の端部を溶着又は縫製又は接着で取りつけた湾曲自在の、或いは円弧状又は逆Ｕ字状の側面被覆用支柱と、を有して成り、前記側面被覆用支柱の両先端部を土壌に挿入して自立させると共に、前記側面被覆シート材のもう一方の端部を前記側面被覆用支柱側とは反対方向に張力をかけながら収束させ、収束部を結束し、その収束部を固定できる形状の杭を打ち込み、土壌の上面に固定できるように構成したことを特徴とする。
【考案の効果】
【００１０】
本考案の農業・園芸用のトンネルハウスの側面被覆体は、トンネルハウスの両側面を自立可能に独立して立設するので、家庭菜園や農家において、汎用性のある農業・園芸用のトンネルハウスの土壌への設置が1人で簡単にでき、かつ、被覆シート（トンネル形成被覆シート）の開閉や取替え作業も簡単にできるようになる。
【図面の簡単な説明】
【００１１】
【図１】本考案を実施するための形態を示した１例の全体説明図である。
【図２】（Ａ）は側面被覆シート材の一方の端部を湾曲自在な側面被覆用支柱に取りつけた側面被覆体の外観図である。（Ｂ）は側面被覆シート材の一方の端部を円弧状又は逆Ｕ字状の側面被覆用支柱に取りつけた側面被覆体の外観図である。
【図３】本考案の側面被覆体を立設させたトンネルハウスの１例の形成途中図である。
【図４】本考案の側面被覆体を立設させたトンネルハウスの１例の完成図である。
【考案を実施するための形態】
【００１２】
以下、本考案の実施形態を図に基づいて説明する。
【実施例】
【００１３】
家庭菜園や農家では、野菜や花木等の育苗や栽培時に、保温、防寒、防虫、防鳥、遮光、遮熱などの目的で樹脂製シート、不織布、寒冷紗、或いはネットなどを被覆シート（トンネル形成被覆シート）として使用し農業・園芸用のトンネルハウスを形成して活用している。本考案の農業・園芸用のトンネルハウスの側面被覆体１は、トンネルハウスの両側面部を、図１に示すように、自立可能に独立して立設できるように構成したものである。
【００１４】
より詳細には、この側面被覆体１は、図２（Ａ）、（Ｂ）に示すように、側面被覆シート材１ａと、側面被覆シート材１ａの一方の端部を溶着又は縫製又は接着で取りつけた側面被覆用支柱１ｂと、を有して成る。側面被覆用支柱１ｂは、湾曲自在（図２（Ａ）参照。）、或いは、円弧状又は逆Ｕ字状（図２（Ｂ）参照。）のものである。側面被覆シート材１ａは、矩形（例えば、長方形や略正方形）のものを用いることができる。側面被覆用支柱１ｂは、両先端部に土への差し込み部を残して、側面被覆シート材１ａが取りつけられている。
【００１５】
側面被覆体１は、側面被覆用支柱１ｂの両先端部を土壌７に挿入して自立させると共に、側面被覆シート材１ａのもう一方の端部（側面被覆用支柱が取りつけられていない端部）を側面被覆用支柱１ｂ側とは反対方向に張力をかけながら収束させ、収束部２を結束し、その収束部２を固定できる形状の杭３を打ち込み、土壌７の上面に固定できるように構成している。
【００１６】
トンネルハウスの形成手順は以下のようにすればよい。すなわち、側面被覆用支柱１ｂを土壌７に差し込んで弧状にする。側面被覆用支柱１ｂが湾曲自在なものの場合は、畝８の幅に合わせ湾曲させて差し込み、円弧状又は逆Ｕ字状の場合は、そのまま差し込む。側面被覆シート材１ａは、もう一方の端部を地面に沿わして半円錐状に成るよう収束させて紐で括りつけ、引っ張った状態で杭３に固定する。そして、その作業を繰り返し、畝８のもう一方の端部にも側面被覆体１を立設する。
【００１７】
それから、図３に示すように、畝８の両端に立設させた側面被覆体１の間にトンネル形成用支柱５を必要数立設し、その上からトンネル形成被覆シート４を被せる。そして、図４に示すように、トンネル形成被覆シート４の両端部を側面被覆用支柱１ｂに重ねてトンネルパッカー等の固定具６で固定すると、トンネルハウスを形成することができる。この場合トンネル形成被覆シート４の両裾部に棒体４ａを事前に取り付けて置けば、風が強くても簡単に設置ができ、更に土を被せなくても固定具等で簡単に固定できる。
【００１８】
このように側面被覆体1を自立可能に独立して立設しておくことで、１人作業でも更には風が強くても簡単に、畝８の長さ及び幅に応じた汎用性のあるトンネルハウスの形成作業が出来る。また、水やりや除草作業時の開閉作業もトンネル形成被覆シート４のみの開閉になり、トンネル形成被覆シート４の裾部を持ち上げることで簡単に出来る。更に、例えば保温シートから防虫ネットに取り替える場合でも、側面被覆体1はそのままで、トンネル形成被覆シート４のみを防虫ネットに替えることで、作業が簡単にできる。
【００１９】
また、側面被覆用支柱１ｂにトンネル形成被覆シート４を固定具６で固定することで、トンネル形成被覆シート４と側面被覆体１が一体になったトンネルハウスを形成することができる。それにより、畝８の一方の端部の杭３に固定された収束部２と、畝８のもう一方の端部の杭３に固定された収束部２と、の間で互いに引っ張り合う力が発生するので、風が吹き付けても、トンネルハウスの形状を維持し易いものとなる。
【００２０】
以上、本考案の実施形態に係る農業・園芸用のトンネルハウスの側面被覆体について説明したが、本考案は、実施形態に記載したものに限られることなく、実用新案登録請求の範囲に記載した事項の範囲内でのさまざまな設計変更が可能である。
【符号の説明】
【００２１】
１      側面被覆体
１ａ    側面被覆シート材
１ｂ    側面被覆用支柱
２      収束部
３      杭
４      トンネル形成被覆シート
４ａ    棒体
５      トンネル形成用支柱
６      固定具（トンネルパッカー）
７      土壌
８      畝
【手続補正２】
【補正対象書類名】実用新案登録請求の範囲
【補正対象項目名】全文
【補正方法】変更
【補正の内容】
【実用新案登録請求の範囲】
【請求項１】
土壌の上面に設置するトンネルハウスにおいて、前記トンネルハウスの両側面部を自立可能に独立して立設できるように、側面被覆シート材と、当該側面被覆シート材の一方の端部を溶着又は縫製又は接着で取りつけた湾曲自在の、或いは円弧状又は逆Ｕ字状の側面被覆用支柱と、を有して成り、
前記側面被覆用支柱の両先端部を土壌に挿入して自立させると共に、前記側面被覆シート材のもう一方の端部を前記側面被覆用支柱側とは反対方向に張力をかけながら収束させ、収束部を結束し、その収束部を固定できる形状の杭を打ち込み、土壌の上面に固定できるように構成したことを特徴とする農業・園芸用のトンネルハウスの側面被覆体。
【手続補正３】
【補正対象書類名】図面
【補正対象項目名】全図
【補正方法】変更
【補正の内容】
【図１】
0003185517.tif 000007
【図２】
0003185517.tif 000008
【図３】
0003185517.tif 000009
【図４】
0003185517.tif 000010